(57)【要約】【課題】  板バネの間に不要物が入り込むのを防止し得る振動フィーダの提供。【解決手段】  フィーダ本体と、板バネ部とを有し、フィーダ本体に板バネ部を介してフィーダ本体の上方にトラフが支持され、板バネ部は、複数個の板バネと、板バネの間の上下端部側にそれぞれ設けられた間座とを備え、板バネは間座を介して前後に重ねられ、板バネ部に、間座と板バネとで囲まれる隙間領域を外部に対して密封するシール材が設けられている構成の振動フィーダ。【選択図】  図６
2011190056.tif 000002
【特許請求の範囲】
【請求項１】
フィーダ本体と、板バネ部とを有し、前記フィーダ本体に前記板バネ部を介してフィーダ本体の上方にトラフが支持される振動フィーダであって、
前記板バネ部は、複数個の板バネと、該板バネの間の上下端部側にそれぞれ設けられた間座とを備え、前記板バネは前記間座を介して前後に重ねられ、
前記板バネ部に、間座と板バネとで囲まれる隙間領域を外部に対して密封するシール材が設けられていることを特徴とする振動フィーダ。
【請求項２】
シール材は、間座と板バネの対向部位の間も外部に対して密封するように構成されていることを特徴とする請求項１記載の振動フィーダ。
【請求項３】
シール材は、板バネ部の全周を覆って設けられていることを特徴とする請求項１または請求項２記載の振動フィーダ。
【請求項４】
シール材は、隙間領域に側方から入り込んだ入込部を有していることを特徴とする請求項３記載の振動フィーダ。
【発明の詳細な説明】
【技術分野】
【０００１】
本発明は、被搬送物（例えば粉状体などの固体）を所定の方向に搬送するための振動フィーダに関する。
【背景技術】
【０００２】
振動フィーダには、フィーダ本体と、フィーダ本体の前後部に配置した板バネとを有するものがある。そして両板バネの上端部にはトラフが設置され、板バネの振動数は、トラフ上の被搬送物を円滑に搬送し得る最適な振動状態となるよう設定される。
このような振動フィーダでは、板バネが水分を吸収したり、あるいは間座を介して積層された板バネの間に水分が入り込んだりすると、板バネの定数が変わって、被搬送物の搬送に適さない振動状態となる。
【０００３】
そこで、下記特許文献１に示すように、振動フィーダすなわちフィーダ本体と板バネをカバー（防水カバー）で密封する技術が提案されている。詳細には、カバーの上側にトラフを配置し、カバー内の振動フィーダとトラフとを、取付部材を介して連結した構成であり、取付部材もまた、カバー内を気密に保ち得るよう密封構造とされている。さらに特許文献１には、カバーの内部に乾燥した空気を供給する、供給手段を設けた構成が開示されている。
【先行技術文献】
【特許文献】
【０００４】
【特許文献１】実開平５−４０２０９号公報
【発明の概要】
【発明が解決しようとする課題】
【０００５】
特許文献１の振動フィーダにおいて、トラフは振動することで被搬送物を搬送するものであるから、取付部材は振動に耐え得る構成とする必要がある。しかしながら、振動フィーダを長期的に使用していると、取付部材が密封性を損なってきて、カバー内に水分や不要物が侵入し易くなる。
カバー内に水分や不要物が侵入すると、カバー内面や板バネに結露が発生してしまう。そこで供給手段を駆動することで乾燥した空気をカバー内に供給すれば、カバー内を乾燥させることは可能である。しかし、水分以外の不要物の除去はできない。
【０００６】
また、カバーは振動フィーダを外部と遮断するよう密封している構成であるから、カバーを取外すには多大な手間がかかる。このため、カバーを外して振動フィーダを水洗いすることは実質的にできない。仮にカバーを取外して振動フィーダを水洗いすれば、積層した板バネでは、板バネの間の隙間領域に水分が入り込んでしまうことになる。
【０００７】
そこで本発明は、上記課題に鑑み、板バネの間の隙間領域に不要物が入り込むのを防止し得る振動フィーダの提供を目的とする。
【課題を解決するための手段】
【０００８】
本発明は、フィーダ本体と、板バネ部とを有し、前記フィーダ本体に前記板バネ部を介してフィーダ本体の上方にトラフが支持される振動フィーダであって、前記板バネ部は、複数個の板バネと、該板バネの間の上下端部側にそれぞれ設けられた間座とを備え、前記板バネは前記間座を介して前後に重ねられ、前記板バネ部に、間座と板バネとで囲まれる隙間領域を外部に対して密封するシール材が設けられていることを特徴とする。
【０００９】
上記構成のように、間座によって形成される板バネの間の隙間領域を、シール材によって外部に対して密封することで、間座によって形成される板バネの間の隙間領域に水等の不要物が入り込むのを防げる。
【００１０】
本発明の振動フィーダでは、シール材は、間座と板バネの対向部位の間も外部に対して密封するよう構成されていることを特徴としている。
この構成によれば、板バネと間座との対向部位（合わせ面）との間に微細な隙間があっても、その隙間に水等の不要物が入り込むのを防げる。
【００１１】
本発明の振動フィーダでは、シール材は、板バネ部の全周を覆って設けられていることを特徴としている。
シール材は、板バネ部の全周を囲うものであるから、間座を介して板バネどうしを取付けた後に、板バネ部の外側からシール材を容易に施すことが可能で、その作業も容易である。
【００１２】
本発明の振動フィーダでは、シール材は、隙間領域に側方から入り込んだ入込部を有していることを特徴としている。
入込部を設けることによって、その分だけ隙間領域への不要物の侵入を防ぎ密封性を向上させることができる。
【００１３】
前記板バネと間座は、ともに金属製が好ましく、硬度は板バネに比べて間座の方が低いものが好ましい。前記シール材は耐薬性、耐温度性に優れ、金属との一体性に優れるものが好ましい。
【発明の効果】
【００１４】
本発明の振動フィーダでは、間座と板バネとで囲まれる隙間領域を外部に対して密封するシール材が板バネ部に設けられているから、間座によって形成される板バネの間の隙間領域に水等の不要物が入り込むのを防止することができる。
【図面の簡単な説明】
【００１５】
【図１】本発明の第一の実施形態を示す振動フィーダの全体構成を示す前方からの斜視図
【図２】同じく後方からの斜視図
【図３】同じく側面図
【図４】同じく正面図
【図５】同じく板バネ部の拡大側面図
【図６】同じく板バネ部の側面を示す概念図
【図７】同じく図６におけるＡ−Ａ線矢視断面図であり、板バネ部における板バネと間座との合わせ面位置での断面図
【図８】本発明の第二の実施形態を示す振動フィーダにおける板バネ部の、板バネと間座との合わせ面位置での断面図
【図９】本発明の第三の実施形態を示す振動フィーダにおける板バネ部の、板バネと間座との合わせ面位置での断面図
【図１０】本発明の第四の実施形態を示す振動フィーダにおける板バネ部の、板バネと間座との合わせ面位置での断面図
【発明を実施するための形態】
【００１６】
以下、本発明に係る振動フィーダ（電磁フィーダ）を図面に基づいて説明する。まず、図１ないし図７に基づいて、本発明の第一の実施形態を説明する。
図１は本発明の第一の実施形態を示す振動フィーダの全体構成を示す前方からの斜視図、図２は後方からの斜視図、図３は側面図、図４は正面図、図５は板バネ部の拡大側面図、図６は板バネ部の側面を示す概念図、図７は図６におけるＡ−Ａ線矢視断面図であり、板バネ部における板バネと間座との対向部位、すなわち合わせ面位置での断面図である。
【００１７】
図１ないし図４に示すように、振動フィーダ１は、フィーダ本体２と、フィーダ本体２に支持される板バネ部である第一板バネ部３および第二板バネ部４と、第一板バネ部３および第二板バネ部４の上端部に支持されるアタッチメント式トラフ取付用の取付部材５と、取付部材５に固定された被吸引部材６と、被吸引部材６を吸引するための電磁石７と、電磁石７の磁力を制御してトラフ８の振動状態を制御するためのコントローラ（図示せず）とを有する。電磁石７およびコントローラはトラフ８に振動を付与する駆動部である。
【００１８】
フィーダ本体２の構成を説明する。この場合、フィーダ本体２はカウンターウエイトを兼用する。フィーダ本体２はステンレス製の金属からなり、鋳造により形成されている。フィーダ本体２の本体底面の四隅に防振バネ２１が配置されている。
【００１９】
フィーダ本体２は、その前部を構成する板バネ取付部２２と、後部を構成する電磁石装着部２３とからなり、全体として、平面視して長手方向（以下「前後方向」という）と短手方向（以下「幅方向」という）を有する略矩形に形成されている。
【００２０】
電磁石装着部２３と板バネ取付部２２とを幅方向長さで比較すると、電磁石装着部２３は板バネ取付部２２よりも幅方向がわずかに長く形成されている。これにより、電磁石装着部２３の前端部における左右両側下部には、板バネ取付部２２の後端部から左右方向に拡大する段付面２２ａが形成されている（図１参照）。
【００２１】
電磁石装着部２３は、全体形状として、立方体形状の塊に形成され、その上面２３ａを後方に向けて下傾斜するよう形成され、電磁石装着部２３の前面２３ｂは前方に向けて下傾斜するよう形成されている。電磁石装着部２３の前面２３ｂの中心には、電磁石７を装着するための装着凹部２３ｃが形成されている。装着凹部２３ｃには、電磁石７がモールドされた状態で内装支持されている。
【００２２】
なお、電磁石装着部２３には、電磁石７とコントローラとを電気的に接続するリード線（図示せず）を挿通させるための挿通孔が形成されている。電磁石装着部２３の上面２３ａと側面２３ｄとの連続部である隅部は、曲面状に面取りされている。電磁石装着部２３の上面２３ａと背面２３ｅとの連続面である隅部は、曲面状に面取りされている。
【００２３】
板バネ取付部２２は、前側の第一取付部２２１と後側の第二取付部２２２とからなる。第一取付部２２１は第一上面２２１ａ、幅方向両側の第一側面２２１ｂ、および第一取付面２２１ｃを有する。第二取付部２２２は第二上面２２２ａ、幅方向両側の第二側面２２２ｂ、および第二取付面２２２ｃを有する。
【００２４】
第一取付部２２１および第二取付部２２２の、第一取付面２２１ｃおよび第二取付面２２２ｃは、ともに板バネ取付部２２の前面２２ｂに沿う方向（前面２２ｂに平行）に傾斜して形成されている。第一取付面２２１ｃおよび第二取付面２２２ｃには、下側取付ボルトＢ１が挿入される孔（図示せず）が形成されている。
【００２５】
第一上面２２１ａは、前方から後方に向けて下傾斜する傾斜面に形成されている。しかもこの傾斜面は、幅方向中心よりも幅方向端部側が下方に位置するよう湾曲した湾曲面に形成されている。第一上面２２１ａと板バネ取付部２２の前面２２ｂとの連続面である隅部は、曲面状に面取りされている。第一上面２２１ａと両第一側面２２１ｂとの連続面である隅部は、曲面状に面取りされている。
【００２６】
第二上面２２２ａは、前方から後方に向けて下傾斜する傾斜面に形成されている。しかもこの傾斜面は、幅方向中心よりも幅方向端部側が下方に位置するよう湾曲した湾曲面に形成されている。第二上面２２２ａと第一取付面２２１ｃとの連続面である隅部は、曲面状に面取りされている。第二上面２２２ａと両第二側面２２２ｂとの連続面である隅部には曲面状に面取りされている。
【００２７】
第一取付面２２１ｃは、第一板バネ部３の厚み分ほど後退した位置に配置されている。第二取付面２２２ｃは、第二板バネ部４の厚み分ほど後退した位置に配置されている。板バネ取付部２２の前面２２ｂは第二取付面２２２ｃと同方向に傾斜している。板バネ取付部２２の前面２２ｂと両第二側面２２２ｂとの連続面である隅部は、曲面状に面取りされている。
【００２８】
第一板バネ部３および第二板バネ部４の下端部が、それぞれ第一取付面２２１ｃ、第二取付面２２２ｃに下側取付ボルトＢ１を介して固定されている。第一板バネ部３および第二板バネ部４の上端部に、上側取付ボルトＢ２を介して、トラフ８をその下面８ａで支持する取付部材５が前後方向に渡すように取付けられている。
【００２９】
取付部材５は、トラフ８が載置される載置板５１と、この載置板５１の下面から斜め前方に下傾斜する前側の第一取付片５１１および後側の第二取付片５１２とを有する。この第一取付片５１１、第二取付片５１２の前面に、それぞれ第一板バネ部３、第二板バネ部４の上端部が、上側取付ボルトＢ２を介して固定されている。
【００３０】
第一取付片５１１および第二取付片５１２は、載置板５１の下面に対してそれぞれ第一板バネ部３および第二板バネ部４と同様の傾斜角度をもって一体的に形成されている。第一取付片５１１は載置板５１の前端部に配置され、第二取付片５１２は載置板５１の前後方向途中に配置されている。
【００３１】
載置板５１は、第二板バネ部４に上下方向で対応する部分からさらに後方に水平に延長された延長部５１３を有する。延長部５１３の後端部は下方に折曲されて、第一取付片５１１および第二取付片５１２と平行な支持壁部５１４が形成されている。この支持壁部５１４は、その後面に被吸引部材６を支持固定する部分である。第二取付片５１２と支持壁部５１４との間に渡して、補強用リブ５１５が一体的に形成されている。
【００３２】
ここで、図５ないし図７を主に、第一板バネ部３（前側の板バネ部）および第二板バネ部４（後側の板バネ部）の構成について詳述する。第一板バネ部３および第二板バネ部４は、それぞれ複数枚（複数個）の板バネ３１と、板バネ３１の間に配置される、上側および下側の間座３４，３５とを有する。換言すれば、板バネ３１は間座３４，３５を介して前後に重ねられた構成である。
【００３３】
第一板バネ部３および第二板バネ部４は等しい高さに設定されている。第一板バネ部３および第二板バネ部４の幅は、それぞれ板バネ取付部２２の幅（載置板５１の幅でもある）に等しく設定されている。
【００３４】
板バネ３１は、金属製（ステンレス製）の平板に形成され、正面視して矩形に形成されている。間座３４，３５は金属製（アルミニウム製）の平板に形成され、板バネ３１の間の上下端部側にそれぞれ配置されている。上側および下側の間座３４，３５は、板バネ３１と同幅に形成され、上下長さは板バネ３１よりも短く形成されている。板バネ３１の上下端部寄側、間座３４，３５の上下方向中心部には、それぞれ上側取付ボルトＢ２、下側取付ボルトＢ１が貫通する孔３ａ，４ａ，３４ｄ，３５ｄが形成されている。
【００３５】
第一板バネ部３では、板バネ３１の上端面３１ａどうし、および上側の間座３４の上端面３４ａどうしを面一とするとともに、板バネ３１の側端面３１ｂどうし、上側の間座３４の側端面３４ｂどうしを面一として、上側取付ボルトＢ２によって、上端部が第一取付片５１１に固定されている。
【００３６】
板バネ３１の下端面３１ｃどうし、および下側の間座３５の下端面３５ｃどうしを面一とするとともに、板バネ３１の側端面３１ｂどうし、下側の間座３５の側端面３５ｂどうしを面一として、下側取付ボルトＢ１によって、第一板バネ部３の下端部が第一取付面２２１ｃに固定されている。
【００３７】
第二板バネ部４では、板バネ３１の上端面３１ａどうし、および上側の間座３４の上端面３４ａどうしを面一とするとともに、板バネ３１の側端面３１ｂどうし、上側の間座３４の側端面３４ｂどうしを面一として、上側取付ボルトＢ２によって、上端部が第二取付片５１２に固定されている。
【００３８】
板バネ３１の下端面３１ｃどうし、および下側の間座３５の下端面３５ｃどうしを面一とするとともに、板バネ３１の側端面３１ｂどうし、下側の間座３５の側端面３５ｂどうしを面一として、下側取付ボルトＢ１によって、下端部が第二取付面２２２ｃに固定されている。
【００３９】
なお、第一板バネ部３および第二板バネ部４の上端部は、それぞれ座金３６および押え金３７で挟まれた状態で、上側取付ボルトＢ２を介して第一取付片５１１、第二取付片５１２に重ねられている。また、第一板バネ部３および第二板バネ部４の下端部は、それぞれ座金３６および押さえ金３７を介して第一取付面２２１ｃおよび第二取付面２２２ｃに重ねられている。
【００４０】
第一板バネ部３および第二板バネ部４において、間座３４，３５の厚みに相当する分だけの隙間Ｓが板バネ３１の間に生じている。この隙間Ｓに水分等の不要物が入り込まないように、隙間Ｓを板バネ部の内外で遮断するシール材９が施されている。隙間Ｓの幅は、間座３４，３５の厚みに相当する分として、例えば０．８ｍｍである。
【００４１】
第一の実施形態では、シール材９は、第一板バネ部３および第二板バネ部４のそれぞれの全周を囲うように設けられて、板バネ３１の間の隙間Ｓをその上方、下方および側方で密封している。
シール材９は、第一板バネ部３および第二板バネ部４をフィーダ本体２および載置板５１に取付けた後に、シリコンシーリング材を塗布することで、第一板バネ部３および第二板バネ部４の全周に施している。これによって、第一板バネ部３および第二板バネ部４それぞれにおいて、内方と外方とが遮断されている。なお、シリコンシーリング材は、第一板バネ部３および第二板バネ部４の間に、例えば作業者によって塗布される。
【００４２】
第一板バネ部３および第二板バネ部４のそれぞれの全周とは、板バネ３１の四方の外端面の全てである上端面３１ａ，側端面３１ｂ，下端面３１ｃ、上側の間座３４の上端面３４ａおよび側端面３４ｂ、下側の間座３５の下端面３５ｃおよび側端面３５ｂ、板バネ３１の間の隙間Ｓの側方部分である。
【００４３】
上記構成の振動フィーダ１では、電磁石７を駆動して、被吸引部材６を電磁石７に対して吸引・離反することにより、取付部材５が前後方向に振動して取付部材５が第一板バネ部３および第二板バネ部４とともに前後方向に振動し、取付部材５に固定されているトラフ８が前後方向に振動してトラフ８上の被搬送物を搬送方向、すなわち前方に向けて搬送する。
【００４４】
ところで、振動フィーダ１では被搬送物を搬送するとその振動にともなって被搬送物（例えば粉状体や顆粒状物）が舞い上がる場合がある。以下、フィーダ本体２上に落下した被搬送物を落下搬送物と呼ぶことにする。第一の実施形態における振動フィーダ１では、フィーダ本体２を覆う部材がないから、トラフ８から舞い上がった落下搬送物は、フィーダ本体２上に落下する。落下搬送物がフィーダ本体２上に付着した状態で次に被搬送物を搬送すると、今度はフィーダ本体２上の落下搬送物が振動フィーダ１の振動によって、逆にトラフ８上に舞い上がり、トラフ８上の被搬送物に異物として混入してしまう。
【００４５】
第一の実施形態の振動フィーダ１では、フィーダ本体２の第一上面２２１ａは、前方から後方に向けて下傾斜する傾斜面に形成されている。しかもこの傾斜面は、幅方向においては、幅方向中心よりも幅方向端部側が下方に位置するよう湾曲した湾曲面に形成されている。第二上面２２２ａは、前方から後方に向けて下傾斜する傾斜面に形成されている。しかもこの傾斜面は、幅方向においては、幅方向中心よりも幅方向端部側が下方に位置するよう湾曲した湾曲面に形成されている。
【００４６】
この構成により、振動フィーダ１のフィーダ本体２上にある洗浄後の洗浄水は、第一上面２２１ａおよび第二上面２２２ａを、後方に、また側方に向けてはじかれる。第一上面２２１ａおよび第二上面２２２ａは後方に向けて下傾斜させている。このため洗浄水が後方へ向けて案内されると、第一上面２２１ａおよび第二上面２２２ａそれぞれの後方側に洗浄水が迅速にはじかれ、排除される。
【００４７】
また、板バネ取付部２２の隅部は曲面状に面取りされている。この、板バネ取付部２２の隅部によって、洗浄水は、第一取付部２２１では第一側面２２１ｂに、第二取付部２２２では第二側面２２２ｂに向けて円滑にはじかれる。また、電磁石装着部２３の前端部における左右両側下部には、第一取付部２２１の後端部から左右方向に拡大する段付面２２ａが形成されているから、第一上面２２１ａから後方に排除された洗浄水の一部は、段付面２２ａに沿って円滑に落下するようにはじかれ、排除される。
【００４８】
電磁石装着部２３においては、立方体形状の塊の上面を後方に向けて下傾斜させ、前面を前方に向けて下傾斜させた形状としている。このため、電磁石装着部２３においては、振動フィーダ１を水洗いした後の洗浄水の一部が上面２３ａから後方にはじかれ、排除され易い。
【００４９】
また、電磁石装着部２３の上面２３ａと側面２３ｄとの連続部である隅部は曲面状に面取りされ、電磁石装着部２３の上面２３ａと背面２３ｅとの連続面である隅部は曲面状に面取りされている。このため、洗浄水の一部は、上面２３ａから背面２３ｅあるいは側面２３ｄに円滑に排除される。
【００５０】
上記のようにして、洗浄水はフィーダ本体２上から排除されるから、フィーダ本体２上に洗浄水が残りにくい。このため落下搬送物がフィーダ本体２の上面や側面等の表面に付着しにくくなる。そうなると、次に被搬送物を搬送する際に、落下搬送物が被搬送物に、異物として混入するのを防止することができる。
【００５１】
さらに、本発明の第一の実施形態では、第一板バネ部３および第二板バネ部４のそれぞれの全周を囲うようにシール材９を設け、板バネ３１の間の隙間Ｓをその側方部分で封止している。このため、第一板バネ部３および第二板バネ部４を洗浄することができ、洗浄水が隙間Ｓに入り込むことがない。しかも、板バネ３１と間座３４，３５の合わせ面に微細な隙間が発生していたとしても、シール材９で封止されているから、洗浄水が該隙間から入り込むこともない。また、シール材９が全周に施されていることで、落下搬送物が隙間Ｓに侵入するのを防止することもできる。
【００５２】
このシール材９は、第一板バネ部３および第二板バネ部４をフィーダ本体２および載置板５１に取付けた後に、シリコンシーリング材を塗布することで、第一板バネ部３および第二板バネ部４の全周に塗布するようにしているから、施工が極めて容易である。
【００５３】
シリコンシーリングそれ自体は高密度で耐久性に優れ、金属（ステンレス、アルミニウム）との密着性も良好であるから、第一板バネ部３および第二板バネ部４が振動しても、シール材９に割れが発生したり、シール材９が剥がれたりすることもほとんどない。このため、板バネ３１の間の隙間Ｓや、板バネ３１と間座３４，３５の合わせ面の微細な隙間から洗浄水が入り込むのを長期に亘って防止することができる。
【００５４】
本発明の第一の実施形態によれば、振動フィーダ１全体を洗浄することができるよう構成したから、振動フィーダ１に対して特別に防水装置を付設する必要がなく、装置全体が大型化するのを回避することができる。
【００５５】
本発明は上記実施形態に限られるものではなく、本発明の主旨を逸脱しない範囲で種々変形が可能である。その他、各部の具体的構成についても種々変形が可能である。
【００５６】
図８に基づいて、本発明の第二の実施形態を説明する。図８は第一の実施形態の図７に対応する断面であり、板バネ部における板バネと間座との合わせ面位置での断面図を示す。
【００５７】
第二の実施形態が第一の実施形態と異なる構成は、第一板バネ部３および第二板バネ部４においてシール材９を施す部位である。第一の実施形態では、シール材９は、第一板バネ部３および第二板バネ部４のそれぞれの全周を囲うように設けており、特に、板バネ３１の間の隙間Ｓにおいては、その側方部分で封止するよう構成している。シール材９を、隙間Ｓを側方部分で封止するようにすると、シール材９は隙間Ｓの中にわずかに侵入すると考えられる。
【００５８】
これに対して、本発明の第二の実施形態は、シール材９を積極的に隙間Ｓの中に入り込むように施した構成である。この入り込んだシール材９を図では入込分９ａとして示している。入込部９ａは、隙間Ｓ（図６参照）を側方部分で封止するよう塗布する（例えば人手により塗り込む）際に、多めに施すことで、容易に形成することができる。他の構成は上記実施形態と同様であるので、同一の符号を付してその説明を省略する。また、第二の実施形態の構成でも、第一の実施形態と同様の作用効果を奏し得る。
【００５９】
次に、本発明の第三の実施形態を図９に基づいて説明する。第一の実施形態の図７に対応する断面図であり、板バネ部における板バネと間座との合わせ面位置での断面図である。第一の実施形態および第二の実施形態では、シール材９を、板バネ部の全周を囲うように設けた構成である。これに対して、第三の実施形態では、シール材９を、上側の間座３４と下側の間座３５の間における板バネ３１の間の隙間Ｓに充填して、第一板バネ部３および第二板バネ部４のそれぞれにおいて、内方と外方とを遮断し、板バネ３１の間の隙間Ｓをその上方、下方および側方で密封した構成である。
【００６０】
この構成では、シール材９が上側の間座３４の下端面３４ｄ、下側の間座３５の上端面３５ｄに密着し、板バネ３１どうしの対向面３１ｄにも密着している。このため、仮に、板バネ３１と間座３４，３５の合わせ面の微細な隙間から洗浄水が侵入したとしても、隙間Ｓに洗浄水が侵入することはない。他の構成は上記実施形態と同様であるので、同一の符号を付してその説明を省略する。
【００６１】
次に、本発明の第四の実施形態を図１０に基づいて説明する。図１０は第一の実施形態における図７に対応する断面図であり、板バネ部における板バネと間座との合わせ面位置での断面図である。第四の実施形態は、シール材９を、上側の間座３４と下側の間座３５の間における板バネ３１の間の隙間Ｓに、その全周縁部分を囲うように塗布して、第一板バネ部３および第二板バネ部４のそれぞれにおいて、板バネ３１の間の隙間Ｓをその上方、下方および側方で密封して、内方と外方とを遮断している。
【００６２】
この構成では、シール材９が上側の間座３４の下端面３４ｄ、下側の間座３５の上端面３５ｄに密着し、板バネ３１どうしの対向面３１ｄの全周縁部分にも密着している。このため、仮に、板バネ３１と間座３４，３５の合わせ面の微細な隙間から洗浄水が侵入したとしても、隙間Ｓに洗浄水が侵入することはない。他の構成は上記実施形態と同様であるので、同一の符号を付してその説明を省略する。
【符号の説明】
【００６３】
１…振動フィーダ、２…フィーダ本体、３…第一板バネ部、４…第二板バネ部、８…トラフ、９…シール材、３１…板バネ、３４，３５…間座、Ｓ…隙間
【図１】
2011190056.tif 000003
【図２】
2011190056.tif 000004
【図３】
2011190056.tif 000005
【図４】
2011190056.tif 000006
【図５】
2011190056.tif 000007
【図６】
2011190056.tif 000008
【図７】
2011190056.tif 000009
【図８】
2011190056.tif 000010
【図９】
2011190056.tif 000011
【図１０】
2011190056.tif 000012